(57)【特許請求の範囲】
【請求項１】
壁面の上方位置に取り付けられる外筐体と、この外筐体に内蔵される収納庫とを備え、この収納庫が上下動自在に形成されている垂直昇降式アッパーキャビネットであって、上記の収納庫を格納時に前方に移動させて外筐体の前板の裏面に押し付ける押し付け部材と、上記の収納庫を下降時に外筐体の前板から引き離して退避させる退避手段とを備え、この退避手段と上記の押し付け部材によって収納庫が、外筐体の前板の裏面に対し接離動作自在に形成されると共に、格納時に外筐体の前板の裏面に密着されて密封されることを特徴とする垂直昇降式アッパーキャビネット。
【請求項２】
請求項１記載の垂直昇降式アッパーキャビネットであって、押し付け部材が、案内用傾斜面を下向きにして外筐体の背板の内面に設けられる断面三角形状の一方の部材と、この一方の部材の案内用傾斜面と係合する傾斜面を上向きにして一方の部材に対応する収納庫の背面位置に設けられる断面三角形状の他方の部材とで形成されていることを特徴とする垂直昇降式アッパーキャビネット。
【請求項３】
請求項２記載の垂直昇降式アッパーキャビネットであって、一方の部材と他方の部材が、断面三角形状に形成されるのに代え、断面凸湾曲面状に形成されていることを特徴とする垂直昇降式アッパーキャビネット。
【請求項４】
請求項１乃至３の何れかに記載の垂直昇降式アッパーキャビネットであって、一方の部材と他方の部材とが横方向に長く伸ばされて設けられていると共に、上下位置に、二段状に配設されていることを特徴とする垂直昇降式アッパーキャビネット。
【請求項５】
請求項１乃至４の何れかに記載の垂直昇降式アッパーキャビネットであって、退避手段がコイルバネであることを特徴とする垂直昇降式アッパーキャビネット。
【請求項６】
請求項１乃至５の何れかに記載の垂直昇降式アッパーキャビネットであって、収納庫の前端面又はこの前端面が当接する外筐体の前板の裏面位置の何れか一方又はその両方に、収納庫を格納時に密封させるためのパッキンが設けられていることを特徴とする垂直昇降式アッパーキャビネット。
【請求項７】
請求項１乃至６の何れかに記載の垂直昇降式アッパーキャビネットであって、収納庫の底板が、外筐体の両側板、前板及び背板の各下端面と格納時に当接する位置まで延長されて拡大状に形成され、外筐体の開口状の下面が収納庫の底板で閉塞自在に形成されていることを特徴とする垂直昇降式アッパーキャビネット。
【発明の詳細な説明】
【０００１】
【発明の属する技術分野】
本発明は、台所の壁面等に取り付けて使用する昇降式アッパーキャビネットに関し、更に詳しくは収納庫がモータで垂直方向に動作する垂直昇降式アッパーキャビネットに関するものである。
【０００２】
【従来の技術】
従来この種のキャビネットは、収納庫を上下動させる必要から、外筐体の下面（底面）が開口状に形成されている。従ってこの種のキャビネットは、収納庫の格納時に、外筐体の下面周囲に隙間が生じ、この隙間から収納庫内に虫や埃が侵入したり、収納品が湿気り易くなる、という問題がある。
【０００３】
而してこの種の問題を解決する従来品としては、例えば外筐体の内側の下部に、パッキンを巡らし、このパッキンで収納庫との隙間を塞ぐよう形成したものが知られている（例えば特開２００１−１７８５５６号公報参照）。
【０００４】
【発明が解決しようとする課題】
従来品は、上記の通り、外筐体の内側の下部に設けるパッキンで収納庫との隙間を塞ぐ構造であった。従って従来品を使用すると、収納庫とパッキンとが収納庫の昇降動作時に擦り合わされ、その結果パッキンが摩耗し易い、という問題点があった。
又この種の問題を解消するため、例えばパッキンの先端にモヘア等の柔軟な布を設ける場合は、収納庫との隙間を確実に塞ぐことができなかったから、これによると収納庫の密閉性が低下し、収納品の湿気防止等の、この種キャビネットの本来の目的を達成できないものであった。
【０００５】
本発明は、このような従来品の問題点に鑑み、提案されたものである。
【０００６】
従って本発明の技術的課題は、上下動する収納庫によってパッキンを摩耗させることなく、しかも収納庫を外筐体に格納させたとき、確実に密閉できるよう形成した垂直昇降式アッパーキャビネットを提供することにある。
【０００７】
【課題を解決するための手段】
本発明は、上記の課題を解決するために、次のような技術的手段を採る。
【０００８】
即ち本発明は、図１等に示されるように、壁面１の上方位置に取り付けられる外筐体２と、この外筐体２に内蔵される収納庫３とを備え、この収納庫３が上下動自在に形成されている垂直昇降式アッパーキャビネットであって、上記の収納庫３を格納時に前方に移動させて外筐体２の前板２ｂの裏面に押し付ける押し付け部材７と、上記の収納庫３を下降時に外筐体２の前板２ｂから引き離して退避させる退避手段８とを備え、この退避手段８と上記の押し付け部材７によって収納庫３が、外筐体２の前板２ｂの裏面に対し接離動作自在に形成されると共に、格納時に外筐体２の前板２ｂの裏面に密着されて密封されることを特徴とする（請求項１）。
【０００９】
この場合本発明は、上記の押し付け部材７が、案内用傾斜面７ａ1を下向きにして外筐体２の背板２ｃの内面に設けられる断面三角形状の一方の部材７ａと、この一方の部材７ａの案内用傾斜面７ａ1と係合する傾斜面７ｂ1を上向きにして一方の部材７ａに対応する収納庫３の背面位置に設けられる断面三角形状の他方の部材７ｂとで形成されているのが好ましい（請求項２）。
【００１０】
なぜならこれによると、収納庫３を徐々に前方に移動させて押し付けでき、又押し付け部材７の仕組みが簡単であるから、その分、この種のキャビネットを安価に提供できるからである。押し付け部材７の形成材料としては、例えば木材、金属材、樹脂材等がある。又この本発明の場合、収納庫３の前後方向の移動距離（通常、数ミリメートル）は、案内用傾斜面７ａ1とこれに係合する傾斜面７ｂ1の角度Ａ（図６参照）により決定される。この角度Ａは、パッキン１３の厚さや材質等に鑑み、適宜選定されるので良い。本発明の場合、角度Ａが小さく選定されると、移動距離が長くなり、角度Ａが大きく選定されると短くなる。
【００１１】
又本発明の場合、一方の部材７ａと他方の部材７ｂは、例えば図１０に示されるように、断面凸湾曲面状に形成されるのでも良い（請求項３）。
【００１２】
この場合は、一方の部材７ａと他方の部材７ｂとの摺接面積を狭小化でき、押し付け部材７の摩耗を低減化できる、という利点がある。
【００１３】
又これらの場合、押し付け部材７は、図５に示されるように、一方の部材７ａと他方の部材７ｂとが横方向に長く伸ばされて設けられていると共に、上下位置に、二段状に配設されているのが好ましい（請求項４）。
【００１４】
なぜならこの場合は、収納庫３を、上下左右のほぼ全体にわたって効率良く且つ均等に押圧できるからである。又これによると、一方の部材７ａと他方の部材７ｂを外筐体２及び収納庫３に取り付ける際、これらの部材を例えば短く形成して上下左右の複数位置に高さを合わせて取り付ける場合に比べ、高さ合わせ（位置決め）を簡単化、迅速化できるからである。
【００１５】
又本発明の場合、上記の退避手段８は、コイルバネで構成されているのが好ましい（請求項５）。
【００１６】
本発明の場合、退避手段８は、例えばゴムバンドやゴム紐等でも良いが、これらに比べ、コイルバネは劣化し難いため、安定した動作を長期間にわたって得られ、故障による部品交換の煩雑さを回避できるからである。この本発明の場合、退避手段８としてのコイルバネは、引っ張りコイルバネによるほか、圧縮コイルバネが使用されるのでも良い。
【００１７】
又本発明品は、収納庫３の前端面３ｂ又はこの前端面３ｂが当接する外筐体２の前板２ｂの裏面位置の何れか一方又はその両方に、収納庫３を格納時に密封させるためのパッキン１３が設けられているのが好ましい（請求項６）。
【００１８】
なぜならこれによると、効率良く、且つ確実に収納庫３を密封できるからである。但し本発明は、外筐体２の前板２ｂの裏面全体が例えば硬質発泡スチロール板や高密度のウレタン樹脂シート等で覆われ、この裏面に収納庫３の前端面３ｂを密着させることにより、収納庫３が密封されるよう形成されているのでも良い。
【００１９】
又本発明品は、図１Ａ、図３等に示されるように、収納庫３の底板３ａが、外筐体２の両側板２ａ、前板２ｂ及び背板２ｃの各下端面と格納時に当接する位置まで延長されて拡大状に形成され、外筐体２の開口状の下面が収納庫３の底板３ａで閉塞自在に形成されているのが好ましい（請求項７）。
【００２０】
なぜならこれによると、下方から見たとき収納庫３の露出を防止でき、又収納庫３の底板３ａによって収納庫３の格納時に、外筐体２内に虫やスチーム等が侵入することを防止できるからである。なおこの場合本発明は、外筐体２の両側板２ａ、前板２ｂ及び背板２ｃの各下端面と当接する収納庫３の底板３ａの周辺位置に、ゴムパッキン等が貼られ、底板３ａの周辺位置が外筐体２の下端面と密着するよう形成されるのでも良い。
【００２１】
【発明の実施の形態】
以下、本発明の好適な一実施形態を添付図面に従って説明する。
【００２２】
図１等において、１は、例えば台所等の壁面である。２はこの壁面１の上方位置に取り付けられる外筐体であり、３はこの外筐体２に内蔵される収納庫である。
【００２３】
この実施形態の場合、収納庫３の底板３ａは、外筐体２の両側板２ａ、前板２ｂ及び背板２ｃの各下端面と格納時に当接する位置まで延長されて拡大状に形成され、外筐体２の開口状の下面が収納庫３の底板３ａで閉塞自在に形成されている。又収納庫３は、正逆回転可能なモータ４（図５参照）で例えばベルト５が巻取り巻戻されることにより、上下動自在に形成されている。このモータ４を制御し収納庫３を上下動させるための上昇、下降スイッチ（図示せず）は、例えば収納庫３の底板３ａや外筐体２の適宜位置、或いはリモコン操作器等に設けられている。又６は、収納庫３を垂直方向に案内するための案内レールである。この案内レール６は、外筐体２の側板２ａの内面位置に対向状に設けられている。
【００２４】
７は、上記の収納庫３を、格納時に前方に移動させて外筐体２の前板２ｂの裏面に押し付ける押し付け部材である。この押し付け部材７は、断面三角形状の一方の部材７ａと、断面三角形状の他方の部材７ｂとで形成されている。一方の部材７ａは、案内用傾斜面７ａ1を下向きにして外筐体２の背板２ｃの内面に設けられている。又他方の部材７ｂは、案内用傾斜面７ａ1と係合する傾斜面７ｂ1を上向きにして一方の部材７ａに対応する収納庫３の背面位置に設けられている。又この押し付け部材７は、この実施形態では図５に示されるように、一方の部材７ａと他方の部材７ｂとが、外筐体２及び収納庫３の横幅に合わせて横方向に長く伸ばされて設けられていると共に、上下位置に、二段状に配設されている。なおこの実施形態の場合、外筐体２の前板２ｂは扉状に形成され、収納庫３の格納時であっても収納品を出し入れできるよう構成されている。
【００２５】
８は、上記の収納庫３を、下降時に外筐体２の前板２ｂから引き離して退避させる退避手段としての引っ張りコイルバネである。収納庫３は、この退避手段８と、上記の押し付け部材７によって外筐体２の前板２ｂの裏面に対し接離動作自在に形成されている。
【００２６】
９は、案内レール６に係合されるローラ１０（図２等参照）を介して上下動自在に形成されている金属製の昇降プレートである。又１１は、収納庫３の両側部の上端に夫々起立状に固定されている金属製の垂直板である。この垂直板１１には、収納庫３の前後方向に延びて長孔１１ａが形成され、垂直板１１はこの長孔１１ａに遊びをもって挿通される段付きボルト１２で上記の昇降プレート９に連結されている。退避手段８としての引っ張りコイルバネは、昇降プレート９の後側上部に形成されている屈曲片９ａと、垂直板１１の上部に形成されている屈曲片１１ｂに、端部が夫々引っ掛けられて横架されている。
【００２７】
又収納庫３は、この実施形態ではその前端面３ｂに、帯状に形成されたゴム製のパッキン１３が全周にわたって貼り付けられている。収納庫３は、このパッキン１３により、格納時に外筐体２の前板２ｂの裏面に密着され、密封されるものである。
【００２８】
次にこの実施形態に係る本発明の作用を説明する。
【００２９】
先ず下降スイッチが入ってモータ４が駆動すると、ベルト５が左右均等に巻戻される。従って収納庫３が、案内レール６に沿って自重により下降し始める。これにより一方の部材７ａと他方の部材７ｂとの係合状態が解かれ、収納庫３には退避手段８としての引っ張りコイルバネの復元力（牽引力）が作用する。この結果収納庫３は、上記の段付きボルト１２に案内されて後方に僅かにスライドし、外筐体２の前板２ｂの裏面から引き離される（図７参照）。そして収納庫３は、案内レール６に案内されて所定の高さまで下降し、停止する（図８、図９参照）。
【００３０】
次に上昇スイッチが入ると、モータ４が逆回転し、ベルト５が左右均等に巻取られる。従って収納庫３が、案内レール６に沿って上昇する。そして一方の部材７ａの案内用傾斜面７ａ1に、他方の部材７ｂの傾斜面７ｂ1が係合し始めると、収納庫３は徐々に斜め上方に導かれ、段付きボルト１２に案内されながら前方にスライドして外筐体２の前板２ｂの裏面に前端面３ｂが押し付けられる。この場合、退避手段８としての引っ張りコイルバネは、その復元力に抗して引き伸ばされる。又この実施形態の場合は、押し付け部材７が横方向に長く、しかも上下位置に、二段状に設けられているから、押し付け部材７の押し付け力が、収納庫３の背面の全体に均等に働き、収納庫３は外筐体２の前板２ｂの裏面に均等に押し付けられる。
【００３１】
以上の処において、本発明は、上記の一方の部材７ａと他方の部材７ｂが、断面三角形状に形成される場合には限られず、その他例えば図１０に示されるように、断面凸湾曲面状に形成されているのでも良い。
【００３２】
又上例では押し付け部材７が、収納庫３の背面側に設けられているが、本発明はこれに限定されるものではない。即ち本発明は、例えば一方の部材７ａが外筐体２の両側板２ａの内面に夫々設けられ、他方の部材７ｂがこれに対応する収納庫３の外側面位置に設けられることにより、構成されるのでも良い。
【００３３】
又本発明は、図１１に示されるように、退避手段８が圧縮コイルバネで構成され、収納庫３が圧縮コイルバネの弾発力で外筐体２の前板２ｂの裏面から引き離されるよう、構成されるのでも良い。この実施形態の場合、退避手段８としての圧縮コイルバネは、収納庫３の格納時は押し付け部材７により圧縮され、収納庫３が下降し始めると弾発して収納庫３を後方に移動させるものである。なおこの実施形態の場合、圧縮コイルバネ以外の構成は、上例の場合と同様に形成されている。
【００３４】
【発明の効果】
以上説明したように本発明は、収納庫を、格納時に外筐体の前板の裏面に押し付けて密封し、下降時は前板から退避させて下降可能に形成したものである。
【００３５】
従って本発明品を使用すれば、上下動する収納庫によってパッキンが摩耗することを防止でき、しかも収納庫を外筐体に格納させたとき、収納庫を確実に密閉できる。
【図面の簡単な説明】
【図１】本発明キャビネットの好適な一実施形態を示し、Ａは要部縦断面図、Ｂは要部斜視図である。
【図２】同上キャビネットの一部を切欠した要部分解斜視図である。
【図３】同上キャビネットの収納庫の下降時の正面図である。
【図４】図３のIVーIV線における断面図である。
【図５】外筐体の前板を外した状態の同上キャビネットの正面図である。
【図６】同上キャビネットの要部縦断面図である。
【図７】同上キャビネットの作用を説明するための要部縦断面図である。
【図８】同上キャビネットの作用を説明するための要部縦断面図である。
【図９】同上キャビネットの作用を説明するための要部縦断面図である。
【図１０】同上キャビネットの他の実施形態を示す要部縦断面図である。
【図１１】同上キャビネットの他の実施形態を示す一部を切欠した要部斜視図である。
【符号の説明】
１    壁面
２    外筐体
２ａ  側板
２ｂ  前板
２ｃ  背板
３    収納庫
３ａ  底板
３ｂ  前端面
４    モータ
５    ベルト
６    案内レール
７    押し付け部材
８    退避手段
９    昇降プレート
１０  ローラ
１１  垂直板
１２  段付きボルト
１３  パッキン
【図１】
0003852323.tif 000002
【図２】
0003852323.tif 000003
【図３】
0003852323.tif 000004
【図４】
0003852323.tif 000005
【図５】
0003852323.tif 000006
【図６】
0003852323.tif 000007
【図７】
0003852323.tif 000008
【図８】
0003852323.tif 000009
【図９】
0003852323.tif 000010
【図１０】
0003852323.tif 000011
【図１１】
0003852323.tif 000012